(57)【要約】      （修正有）【課題】回転性能に優れたルアー用ブレードを提供する。【解決手段】ルアー用ブレード１０は、単一の支点を有する三角形状の取付け穴Ｈを備えている。ルアー用ブレードは、スピナーベイトの一部として使用され得る。【選択図】図１
0003228964.tif 000002
【実用新案登録請求の範囲】
【請求項１】
単一の支点を有する取付け穴を備えたルアー用ブレード。
【請求項２】
前記支点は、１８０°未満の角の頂点である、請求項１に記載のブレード。
【請求項３】
前記支点は、９０°以下の角の頂点である、請求項１又は２に記載のブレード。
【請求項４】
前記取付け穴は、前記ブレードの長軸に対して線対称である、請求項１乃至３の何れか１項に記載のブレード。
【請求項５】
前記取付け穴は、多角形状である、請求項１乃至４の何れか１項に記載のブレード。
【請求項６】
前記取付け穴は、三角形、四角形、五角形、又は六角形状である、請求項１乃至５の何れか１項に記載のブレード。
【請求項７】
前記取付け穴は、三角形状である、請求項１乃至６の何れか１項に記載のブレード。
【請求項８】
前記ルアーは、スピナーベイトである、請求項１乃至７の何れか１項に記載のブレード。
【請求項９】
請求項１乃至８の何れか１項に記載のブレードを備えたルアー。
【請求項１０】
請求項１乃至８の何れか１項に記載のブレードを備えたスピナーベイト。
【考案の詳細な説明】
【技術分野】
【０００１】
本考案は、ルアー用ブレードに関する。本考案はまた、このブレードを備えたルアー、特にはスピナーベイトに関する。
【背景技術】
【０００２】
従来、バスフィッシング等の分野において、スピナーベイトと呼ばれるルアーが用いられている。スピナーベイトは、ブレードと、魚を模したヘッドと、その後部に設けられるスカートとを備えたルアーである。スピナーベイトが水中で引っ張られると、水流によってブレードが回転し、それによって生じる光の反射や振動によって、魚を惹きつけることが可能となる。
【先行技術文献】
【特許文献】
【０００３】
【特許文献１】特開２０１８−１８６７３８号公報
【特許文献２】実用新案登録第３１８６３５１号公報
【考案の概要】
【考案が解決しようとする課題】
【０００４】
本考案者は、従来のスピナーベイトにおいては、使用時におけるブレードの回転が不充分な場合があることを見出した。そこで、本考案は、回転性能に優れたルアー用ブレードを提供することを目的とする。
【課題を解決するための手段】
【０００５】
本考案の第１の側面によると、単一の支点を有する取付け穴を備えたルアー用ブレードが提供される。
本考案の第２の側面によると、第１の側面に係るブレードを備えたルアーが提供される。
本考案の第３の側面によると、第１の側面に係るブレードを備えたスピナーベイトが提供される。
【考案の効果】
【０００６】
本考案によると、回転性能に優れたルアー用ブレードを提供することが可能となる。
【図面の簡単な説明】
【０００７】
【図１】図１は、本考案の一実施形態に係るルアー用ブレードの側面図である。
【図２】図２は、図１に示すルアー用ブレード及びその変形例の側面図である。
【図３】図３は、従来のルアー用ブレードの例を示す側面図である。
【図４】図４は、本考案の一実施形態に係るスピナーベイトの側面図である。
【図５】図５は、本考案の他の実施形態に係るスピナーベイトの側面図である。
【図６】図６は、本考案の他の実施形態に係るスピナーベイトの側面図である。
【考案を実施するための形態】
【０００８】
以下、本考案の一態様に係るルアー用ブレードについて説明する。なお、図面を参照する場合、同様又は類似した機能を発揮する構成要素には同一の参照符号を付し、重複する説明は省略する。
【０００９】
図１は、本考案の一実施形態に係るルアー用ブレードの側面図である。図１に示すルアー用ブレード１０は、典型的には金属製であり、前方に三角形状の取付け穴Ｈを備えている。ルアー用ブレード１０は、典型的には、水流によって回転し、それによって生じる光の反射や振動によって、魚を惹きつける役割を果たす。
【００１０】
図１（ａ）に示すルアー用ブレード１０は、ウィロー型と呼ばれる、楕円型の形状を有している。図１（ｂ）に示すルアー用ブレード１０は、コロラド型と呼ばれる、涙滴型の形状を有している。その他、両者の中間的な形状として、インディアナ型と呼ばれる形状も存在している。ルアー用ブレード１０の形状には特に制限はなく、これら以外の形状のものも適宜用いることができる。
【００１１】
図１に示すルアー用ブレード１０では、本体に、鱗型の模様が描かれている。このような模様の存在により、魚を惹きつける効果が向上する。但し、ルアー用ブレード１０には、鱗型の模様を設ける必要はなく、その他の種類の模様を設けてもよいし、模様を設けなくてもよい。
【００１２】
本発明に係るルアー用ブレード１０は、単一の支点を有する取付け穴Ｈを備えている。
【００１３】
図２は、図１に示すルアー用ブレード及びその変形例の側面図である。図３は、従来のルアー用ブレードの例を示す側面図である。図２及び図３では、ルアー用ブレード１０の支点Ｆを、中黒の点として仮想的に描いている。
【００１４】
図２（ａ）に示すルアー用ブレード１０は、三角形状の取付け穴Ｈを備えており、単一の支点Ｆを有している。図２（ｂ）に示すルアー用ブレード１０は、四角形状の取付け穴Ｈを備えており、単一の支点Ｆを有している。図２（ｃ）に示すルアー用ブレード１０は、五角形状の取付け穴Ｈを備えており、単一の支点Ｆを有している。図２（ｄ）に示すルアー用ブレード１０は、六角形状の取付け穴Ｈを備えており、単一の支点Ｆを有している。図２（ｅ）に示すルアー用ブレード１０は、楕円形状の取付け穴Ｈを備えており、単一の支点Ｆを有している。
【００１５】
これに対し、図３（ａ）に示すルアー用ブレード１０は、円形状の取付け穴Ｈを備えており、明確な支点を有していない。即ち、図３（ａ）に示すルアー用ブレード１０は、０個（又は無限個）の支点を有している。図３（ｂ）に示すルアー用ブレード１０は、略半円状の取付け穴Ｈを備えており、２つの支点Ｆを有している。
【００１６】
本考案者は、従来のルアー用ブレードのように、明確な支点を有していない又は２つ以上の支点を有している取付け穴を採用すると、支点が曖昧であることに起因して、水流によるブレードの回転がスムーズでなくなる場合があることを見出した。そこで、本考案者は、ルアー用ブレード１０において、単一の支点Ｆを有する取付け穴Ｈを採用することにより、上述した水流によるブレードの回転がスムーズになり、魚を惹きつける効果が向上することを見出した。即ち、本考案者は、単一の支点を有する取付け穴Ｈを設けることにより、回転性能に優れたルアー用ブレードを提供できることを見出した。
【００１７】
取付け穴Ｈの支点Ｆは、典型的には、１８０°未満の角の頂点である。このような構成を採用すると、支点Ｆがより明確に定まるため、ブレードの回転がよりスムーズになる。例えば、図２（ａ）乃至（ｄ）に示すように、多角形の頂点を支点Ｆにすると、図２（ｅ）に示すように、楕円の長軸との交点を支点Ｆにする場合と比較して、ブレードの回転をよりスムーズにすることが可能となる。
【００１８】
取付け穴Ｈの支点Ｆは、好ましくは、９０°以下の角の頂点である。このような構成を採用すると、支点Ｆが更に明確に定まるため、ブレードの回転がよりスムーズになる。例えば、図２（ａ）及び（ｂ）に示すように、正三角形又は正四角形の頂点を支点Ｆにすると、図２（ｃ）及び（ｄ）に示すように、正五角形又は正六角形の頂点を支点Ｆにする場合と比較して、ブレードの回転をよりスムーズにすることが可能となる。なお、取付け穴Ｈが五角形以上の多角形であっても、支点Ｆとなる頂点の角度が９０°以下であれば、この態様に含まれ得る。
【００１９】
取付け穴Ｈは、例えば多角形状又は楕円形状であり、好ましくは多角形状である。取付け穴Ｈが多角形状である場合、取付け穴Ｈは正多角形状であってもよく、正多角形状でなくてもよい。取付け穴Ｈは、より好ましくは、三角形、四角形、五角形、又は六角形状であり、特に好ましくは、三角形状である。
【００２０】
取付け穴Ｈは、ルアー用ブレードの長軸（回転軸）に対して、線対称であることが好ましい。このような構成は、例えば、取付け穴Ｈを二等辺三角形状とし、その頂角を支点Ｆとすることにより達成できる。或いは、取付け穴Ｈをひし形状とし、その鋭角部分の一方を支点Ｆにすることによっても達成できる。このような構成を採用すると、ルアー用ブレードの重量も線対称となるため、ブレードの回転を更にスムーズにすることが可能となる。
【００２１】
なお、ここで「角」とは、厳密な意味での角のみならず、図２に示されているように、丸みを帯びたものであってもよい。「角形」の角頂点についても同様である。
【００２２】
ルアー用ブレード１０は、ルアーの一部として使用され得る。このようなルアーとしては、例えば、スピナーベイトが挙げられる。
【００２３】
図４は、本考案の一実施形態に係るスピナーベイトの側面図である。図５は、本考案の他の実施形態に係るスピナーベイトの側面図である。図６は、本考案の他の実施形態に係るスピナーベイトの側面図である。図４乃至図６に示すスピナーベイトは、１つ又は複数のルアー用ブレードを備えている。
【００２４】
図４に示すスピナーベイト１００は、シングルタイプと呼ばれるものであり、１つのルアー用ブレード１０と、ヘッド部２０と、アーム３０と、フック４０とを含んでいる。スピナーベイト１００において、アーム３０の一端には、フック４０を介してルアー用ブレード１０が接続されており、アーム３０の他端には、ヘッド部２０が接続されている。
【００２５】
ルアー用ブレード１０は、上述した通り、単一の支点を有する取付け穴を備えている。これにより、スピナーベイト１００の使用時における水流によるブレード１０の回転がスムーズになり、スピナーベイト１００の性能が向上する。
【００２６】
ヘッド部２０は、ヘッド２２と、釣り針２４と、スカート２６とを備えている。ヘッド部２０の構成には特に制限はない。
【００２７】
アーム３０は、典型的にはくの字形の形状を有しており、ルアー用ブレード１０とヘッド２０とを両端に備えている。アーム３０の構成には特に制限はない。
【００２８】
フック４０は、典型的にはスイベル、好ましくはボールベアリングスイベルであり、ルアー用ブレード１０とアーム３０との間に介在している。フック４０は、ルアー用ブレード１０の支点Ｆに接触するようにして、ルアー用ブレード１０の取付け穴Ｈに接続されている。フック４０の構成には特に制限はない。フック４０は省略してもよい。即ち、ルアー用ブレード１０は、アーム３０の一端に直接接続されていてもよい。
【００２９】
図５及び図６に示すスピナーベイト１００は、複数のルアー用ブレード１０Ａ及び１０Ｂ、並びに、各々に対応する複数のフック４０Ａ及び４０Ｂを備えていることを除いては、図４を参照しながら説明したスピナーベイトと同様の構成を有している。図５に示すスピナーベイト１００は、ダブルタイプと呼ばれるものであり、同種のルアー用ブレード１０Ａ及び１０Ｂが用いられている。図６に示すスピナーベイト１００は、タンデムタイプと呼ばれており、ルアー用ブレード１０Ａ及び１０Ｂとして異種のものが用いられている。
【００３０】
スピナーベイト１００の構成は、少なくとも１つのルアー用ブレード１０を備えていることを除いては、特に制限はない。また、上記の説明では、ルアー用ブレード１０を備えたスピナーベイト１００について説明したが、ルアー用ブレード１０を備えたルアーとしては、任意のものが想定される。このようなルアーとしては、例えば、スピンテールジグ及びスピナーなどが挙げられる。
【符号の説明】
【００３１】
１０、１０′、１０Ａ、１０Ｂ…ルアー用ブレード
２０…ヘッド部
２２…ヘッド
２４…釣り針
２６…スカート
３０…アーム
４０、４０Ａ、４０Ｂ…フック
１００…スピナーベイト
Ｆ…支点
Ｈ…取付け穴
【図１】
0003228964.tif 000003
【図２】
0003228964.tif 000004
【図３】
0003228964.tif 000005
【図４】
0003228964.tif 000006
【図５】
0003228964.tif 000007
【図６】
0003228964.tif 000008